(57)【要約】【課題】  横幅寸法を小さくできるカード用コネクタ装置を提供すること。【解決手段】  上面側縁に切欠部５ｂが形成されたカード５を挿入可能なカード用コネクタ装置において、カード収納部６を有するハウジング７の内部に、カード５の前端部に係合して該カード５を排出方向へ付勢するスライド部材９を配設すると共に、このスライド部材９にカード５の移動経路と平面的にオーバーラップするように弾性保持片１２を片持ち状に固定し、カード挿入完了状態で弾性保持片１２の自由端側に形成した係合部１２ａをカード５の上方から切欠部５ｂに嵌入させるようにした。【選択図】  図４
2006147475.tif 000002
【特許請求の範囲】
【請求項１】
上面側縁に切欠部が形成されたカードを挿入可能なカード収納部と、前記カードに設けられた外部接続部と接続可能な端子部材を設けたカード用コネクタ装置であって、
前記カードの前記切欠部と係脱可能な弾性保持片を配設し、前記カード収納部への前記カードの挿入完了状態で前記弾性保持片を前記カードの上方から前記切欠部に係合させたことを特徴とするカード用コネクタ装置。
【請求項２】
請求項１の記載において、前記カードの上面側縁部に段差部が形成されており、この段差部によって画成される空間に前記弾性保持片を配設したことを特徴とするカード用コネクタ装置。
【請求項３】
請求項１または２の記載において、前記カードの前端部に係合して該カードの挿入・排出方向へ移動可能なスライド部材と、このスライド部材をカード排出方向へ付勢するばね部材とを備え、前記弾性保持片を前記スライド部材に支持したことを特徴とするカード用コネクタ装置。
【請求項４】
請求項３の記載において、前記カード収納部を覆う金属製のカバー部材が設けられており、このカバー部材の天面に、カード挿入完了位置で前記弾性保持片の前記切欠部からの離脱方向の動きを規制する規制部と、カード排出位置で前記弾性保持片の前記切欠部からの離脱方向の動きを許容する逃げ部とを設けたことを特徴とするカード用コネクタ装置。
【請求項５】
請求項３または４の記載において、前記スライド部材にハート型カム溝を設けると共に、前記ハート型カム溝に沿って移動可能なピン部材をハウジングに支持し、このピン部材を前記ハート型カム溝のロック部に係止させることにより、前記カードの挿入に伴って移動する前記スライド部材が所定位置にロックされるように構成したことを特徴とするカード用コネクタ装置。
【発明の詳細な説明】
【技術分野】
【０００１】
本発明は、情報記憶機能を有するカードが接続されるカード用コネクタ装置にに係り、特に、ハウジング内に挿入されたカードを弾性保持片によって所定の装着位置に保持するようにしたカード用コネクタ装置に関するものである。
【背景技術】
【０００２】
従来より、この種のカード用コネクタ装置として、ハウジング内に挿入されたカードに係合して該カードの挿入・排出方向へ移動可能なスライド部材と、このスライド部材をカード排出方向へ付勢するコイルばねと、前記スライド部材に片持ち状に支持された弾性保持片とを備え、カード挿入完了時にカード側縁部の切欠部に前記弾性保持片を側方から嵌入させることにより、カードをハウジング内の装着位置に安定的に保持するようにしたものが知られている（例えば、特許文献１参照）。なお、スライド部材にはハート型カム溝が形成されると共に、ハウジングにはハート型カム溝に沿って移動可能なピン部材が揺動可能に支持されており、このピン部材がハート型カム溝のロック部に係止されることでスライド部材を所定位置にロックするようになっている。
【０００３】
このように概略構成された従来のカード用コネクタ装置において、カードをハウジングのカード挿入口から挿入して内部へ押し込むと、スライド部材に支持された弾性保持片がカードの側部に当接して外方へ弾性変形した後、カード側縁部の切欠部に側方から嵌入することにより、カードが弾性保持片を介してスライド部材に保持される。この間、スライド部材は停止しているが、カードをさらに内部へ押し込むと、その押し込み力によりスライド部材がコイルばねの付勢力に抗して装置奥側へ移動していき、それに伴ってピン部材がスライド部材のハート型カム溝に沿って摺動する。そして、カードをハウジング内に一定量挿入することでピン部材をハート型カム溝のロック部に係止させることができるので、スライド部材がロックされてカードが所定の装着位置に保持された状態となり、カード側の外部接続部がハウジング側の対応する端子部材に接続される。このとき、弾性保持片がカード側縁部の切欠部に嵌入しているため、カード挿入完了状態でカードは装着位置に安定的に保持されることとなる。
【０００４】
また、装着されているカードを排出させる場合は、装着位置に保持されているカードを挿入方向（装置奥側）へ若干量押し込むと、ピン部材がハート型カム溝のロック部から離脱してスライド部材をロック解除し、スライド部材がコイルばねがの付勢力によって排出方向（装置手前側）へ移動する。それゆえ、カードを押し込む操作力を除去すれば、スライド部材がカードに係合しながら排出方向へ移動し、カードの後端部がカード挿入口から所定量突出する排出位置まで移動した後、挿入時と逆に弾性保持片が切欠部から離脱することでカードを引き抜くことができる。
【特許文献１】特開２００２−３６７７２０号公報（第４−５頁、図８）
【発明の開示】
【発明が解決しようとする課題】
【０００５】
昨今、この種のカード用コネクタ装置が組み込まれる携帯電話等の機器は小型化される傾向にあり、それに伴ってより小型のカード用コネクタ装置が要望されているが、前述した従来技術では、スライド部材に支持した弾性保持片をカードの移動経路の側方に配設し、この弾性保持片をカード挿入完了状態でカードの切欠部に側方から嵌入するようにしているため、弾性保持片の設置スペースによってカード用コネクタ装置の横幅寸法が大きくなってしまうという問題があった。
【０００６】
本発明は、このような従来技術の実情に鑑みてなされたもので、その目的は、横幅寸法を小さくできるカード用コネクタ装置を提供することにある。
【課題を解決するための手段】
【０００７】
上記の目的を達成するために、本発明は、上面側縁に切欠部が形成されたカードを挿入可能なカード収納部と、前記カードに設けられた外部接続部と接続可能な端子部材を設けたカード用コネクタ装置において、前記カードの前記切欠部と係脱可能な弾性保持片を配設し、前記カード収納部への前記カードの挿入完了状態で前記弾性保持片を前記カードの上方から前記切欠部に係合させるように構成した。
【０００８】
このように構成されたカード用コネクタ装置によれば、カードを装着位置に保持するための弾性保持片がカード移動経路と平面的にオーバーラップする位置に配設されているので、弾性保持片の設置スペースによって横幅寸法が大きくなることを防止でき、その分、カード用コネクタ装置全体の小型化を促進することができる。
【０００９】
上記の構成において、前記カードの上面側縁部に段差部が形成されており、この段差部によって画成される空間に前記弾性保持片を配設すると、カードの段差部を利用して弾性保持片を配設することができ、カード用コネクタ装置全体の高さ寸法も小さくすることができる。
【００１０】
また、上記の構成において、前記カードの前端部に係合して該カードの挿入・排出方向へ移動可能なスライド部材と、このスライド部材をカード排出方向へ付勢するばね部材とを備え、前記弾性保持片を前記スライド部材に支持することが好ましい。この場合において、前記カード収納部を覆う金属製のカバー部材が設けられており、このカバー部材の天面に、カード挿入完了位置で前記弾性保持片の前記切欠部からの離脱方向の動きを規制する規制部と、カード排出位置で前記弾性保持片の前記切欠部からの離脱方向の動きを許容する逃げ部とを設けると、カードを挿入完了位置に確実に保持できて好ましい。
【００１１】
また、上記の構成において、前記スライド部材にハート型カム溝を設けると共に、前記ハート型カム溝に沿って移動可能なピン部材をハウジングに支持し、このピン部材を前記ハート型カム溝のロック部に係止させることにより、前記カードの挿入に伴って移動する前記スライド部材が所定位置にロックされるように構成すると、カードの装着位置への挿入動作と装着位置からの排出動作とを、いわゆるプッシュ・プッシュ操作によって行うことができて好ましい。
【発明の効果】
【００１２】
本発明のカード用コネクタ装置は、カードを装着位置に保持するための弾性保持片をカード移動経路と平面的にオーバーラップする位置に配設することで、弾性保持片の設置スペースによって横幅寸法が大きくなることを防止できるため、カード用コネクタ装置全体の横幅寸法を小さくことができる。
【発明を実施するための最良の形態】
【００１３】
発明の実施の形態について図面を参照して説明すると、図１は本発明の実施形態例に係るカード用コネクタ装置の平面図、図２は該カード用コネクタ装置の分解斜視図、図３は該カード用コネクタ装置のカード挿入完了状態を示す平面図、図４は該カード用コネクタ装置からカバー部材を取り除いて示すカード挿入完了状態の平面図、図５は該カード用コネクタ装置の動作説明図である。
【００１４】
これらの図に示すように、本実施形態例に係るカード用コネクタ装置は、複数の端子部材１を支持する合成樹脂製のベース部材２と、このベース部材２の上面開放端を覆う板金製のカバー部材３と、ベース部材２の内部に収納されたカード排出機構４とによって概略構成されている。
【００１５】
ベース部材２は金型内に複数の端子部材１をインサートして成形されたモールド品であり、ベース部材２の内部には後述するカード５を配置させるためのカード収納部６が画成されている。カード収納部６の上面と前面および左側面は開放されており、複数の端子部材１はカード収納部６の内底面であるベース部材２の底板に支持されている。各端子部材１の手前側の一端部は図示せぬプリント基板に半田付けされる端子部１ａとなっており、各端子部材１の後方の自由端は接触部１ｂとなっている。なお、接触部１ｂはベース部材２の底板よりも若干量上方へ突出しており、カード収納部６内に挿入されたカード５の下面に接触できるようになっている。
【００１６】
カバー部材３はステンレス等の金属板をプレス加工したもので、このカバー部材３には平板部３ａの前端を除く左右両側と後端に折曲片３ｂが形成されており、各折曲片３ｂはベース部材２の外側壁にスナップ結合やかしめ等の手段で固定されている。これによりカード収納部６の上面と左側面の開口が平板部３ａと折曲片３ｂで覆われ、このようにベース部材２とカバー部材３を一体化することでハウジング７が構成されると共に、このハウジング７の前面がカード挿入口８となっている。また、平板部３ａの手前位置にはプレス抜きによって押圧片３ｃが形成されており、この押圧片３ｃを包囲する開口が逃げ部３ｄとなっている。さらに、平板部３ａには逃げ部３ｄの後方位置に逃げ孔３ｅが形成されており、これら逃げ部３ｄと逃げ孔３ｅはカード収納部６の上方右側部に直線的に配置されている。
【００１７】
カード排出機構４はスライド部材９とコイルばね１０およびピン部材１１を備えており、これら各部材はカード収納部６の右側方に配置されている。スライド部材９は合成樹脂材にて全体的にＬ字状に成形されており、カード収納部６の内方へ突出してカード５の前端部に係合可能な受部９ａと、この受部９ａから直交方向へ延びる延出部９ｂとを有している。受部９ａの上面には係止溝９ｃが形成されており、ステンレスやリン青銅等の弾性金属板からなる弾性保持片１２の基端部がこの係止溝９ｃに圧入・固定されている。この弾性保持片１２は受部９ａから延出部９ｂの左側方に沿って片持ち状に延びており、その先端側の自由端にはＶ字状の係合部１２ａが折曲形成されている。このように弾性保持片１２はカード収納部６の上方右側部に配設されており、カード収納部６内を移動するカード５の移動経路と弾性保持片１２とは平面的にオーバーラップしている。
【００１８】
スライド部材９の延出部９ｂの上面にはハート型カム溝１３が形成されており、図４に示すように、このハート型カム溝１３は往路１３ａと復路１３ｂおよびロック部１３ｃを有している。コイルばね１０はベース部材２の後面とスライド部材９との間に介設されており、スライド部材９はコイルばね１０の弾発力によってカード排出方向へ付勢されている。ピン部材１１の一端部１１ａはハート型カム溝１３に係合しており、ピン部材１１の他端部１１ｂはベース部材２の前面側に揺動自在に支持されている。なお、カバー部材３の平板部３ａに形成された押圧片３ｃはピン部材１１に弾接しており、ピン部材１１は押圧片３ｃによってハート型カム溝１３の内底面に付勢されている。
【００１９】
このカード用コネクタ装置に使用されるカード５は平面視矩形状をなし、その下面側には装置側の端子部材１に対応して複数の外部接続部１４が設けられている。また、カード５の上面両側縁には段差部５ａが形成されると共に、右側の段差部５ａの途中位置には切欠部５ｂが形成されている。後述するように、カード５をカード挿入口８からカード収納部６の内部に挿入したとき、段差部５ａは弾性保持片１２の下方を通って装置奥側へと移動し、カード５を所定量挿入した時点で弾性保持片１２の係合部１２ａが上方から切欠部５ｂ内に嵌入するようになっている。
【００２０】
次に、上述したカード用コネクタ装置の動作を主として図５を参照しつつ説明する。
【００２１】
図１はカード５をカード用コネクタ装置に挿入する前の待機状態を示しており、この待機状態（カード排出状態）において、ピン部材１１の一端部１１ａはハート型カム溝１３の往路１３ａの最奥部に位置しており、スライド部材９はコイルばね１０の付勢力を受けてベース部材２の手前側に保持されている。この場合、図５（ａ）に示すように、弾性保持片１２の係合部１２ａを含む自由端側はカバー部材３の平板部３ａに形成された逃げ部３ｄの真下に位置している。
【００２２】
この状態でカード５をカード挿入口８からカード収納部６内へ挿入すると、弾性保持片１２の係合部１２ａが段差部５ａの上面に当接して上方の逃げ部３ｄ内へ弾性変形した後、図５（ｂ）に示すように、段差部５ａの上面から切欠部５ｂ内に上方から落ち込んで嵌入し、これによってカード５が弾性保持片１２を介してスライド部材９に保持される。この間、スライド部材９は停止しているが、カード５をさらにカード収納部６の内部へ押し込むと、カード５の前端部がスライド部材９の受部６ａに当接するため、カード５の押し込み力によってスライド部材９がコイルばね１０の付勢力に抗して装置奥側へ移動していき、それに伴ってピン部材１１の一端部１１ａがハート型カム溝１３の往路１３ａの手前側へと移動する。
【００２３】
カード５をさらに押し込んでピン部材１１の一端部１１ａが往路１３ａの最前部に到達すると、スライド部材９のそれ以上の移動はピン部材１１によって規制されるが、ここでカード５への押し込み力を除去すれば、スライド部材９がコイルばね１０の付勢力で装置手前側へ若干量戻されるため、ピン部材１１の一端部１１ａがハート型カム溝１３のロック部１３ｃに係止される（図４参照）。これによりスライド部材９がロックされてカード５が所定の装着位置に保持されたカード挿入完了状態となり、カード５の外部接続部１４が対応する端子部材１の端子部１ａに接続される。この間、スライド部材９に支持された弾性保持片１２も装置奥側へと移動し、図５（ｃ）に示すように、カード挿入完了状態でも弾性保持片１２の係合部１２ａがカード５の切欠部５ｂに嵌入されたままであるため、カード５はカード収納部６内の装着位置に安定的に保持される。
【００２４】
また、かかるカード挿入完了状態において、弾性保持片１２の係合部１２ａがカバー部材３の逃げ孔３ｅの真下位置まで移動し、弾性保持片１２の自由端側の動きが逃げ孔３ｅの後方に位置するカバー部材３の平板部３ａ下面（符号３Ａを付した部分）によって規制されるため、当該部分が係合部１２ａの切欠部５ｂから離脱する方向の動きを規制する規制部３Ａとして機能する。なお、挿入完了状態にあるカード５を無理に引き抜こうとすると、図５（ｃ）の破線で示すように、係合部１２ａは弾性変形して逃げ孔３ｅ内へ移動するため、係合部１２ａがカバー部材３に当接して変形することを防止できる。
【００２５】
図３はカード５をカード用コネクタ装置に挿入完了した挿入完了状態を示しており、このカード挿入完了状態でカード５を装置奥側（カード挿入方向）へ若干量押し込むと、ピン部材１１の一端部１１ａがハート型カム溝１３のロック部１３ｃから離脱して復路１３ｂへと移動し、ピン部材１１によるスライド部材９のロックが解除される。したがって、カード５に対する押し込み力を除去すると、スライド部材９がコイルばね９に付勢されて装置手前側（カード排出方向）へ移動し、それに伴ってスライド部材９の受部６ａに当接したカード５がカード挿入口８から突出する排出位置へと移動する。前述したように、かかるカード排出位置で弾性保持片１２の係合部１２ａはカバー部材３の逃げ部３ｄの真下に位置するため、この状態でカード５を排出方向へ引き抜くと、係合部１２ａが上方の逃げ部３ｄ内へ弾性変形して切欠部５ｂから離脱するため、弾性保持片１２による保持力を解除してカード５をカード挿入口８から引き抜くことができる。
【００２６】
このように本実施形態例に係るカード用コネクタ装置では、上面側縁に切欠部５ｂが形成されたカード５を挿入可能なハウジング７の内部に、カード５の前端部に係合して該カード５を排出方向へ付勢するスライド部材９を配設すると共に、このスライド部材９にカード５の移動経路と平面的にオーバーラップするように弾性保持片１２を片持ち状に固定し、カード挿入完了状態で弾性保持片１２の自由端側に形成した係合部１２ａをカード５の上方から切欠部５ｂに嵌入させるようにしたので、弾性保持片１２の設置スペースによって横幅寸法が大きくなることを防止でき、その分、カード用コネクタ装置全体の小型化を促進することができる。また、カード５は上面両側縁に段差部５ａを有しており、この段差部５ａの途中に切欠部５ｂが形成されているので、カード５の段差部５ａによって画成される空間を利用して弾性保持片１２を配設することができ、それゆえカード用コネクタ装置全体の高さ寸法も小さくすることができる。
【００２７】
また、カード５を挿入可能なハウジング７を、カード５下面の外部接続部１４に接触可能な端子部材１を支持する合成樹脂製のベース部材２と、このベース部材２に一体化された金属製のカバー部材３とで構成すると共に、このカバー部材３の平板部３ａに、カード挿入完了位置で弾性保持片１２の係合部１２ａがカード５の切欠部５ｂから離脱する方向の動きを規制する規制部３Ａと、カード排出位置で係合部１２ａが切欠部５ｂから離脱する方向の動きを許容する逃げ部３ｄとを設けたので、弾性保持片１２によってカード５を挿入完了位置に確実に保持することができる。
【図面の簡単な説明】
【００２８】
【図１】本発明の実施形態例に係るカード用コネクタ装置の平面図である。
【図２】該カード用コネクタ装置の分解斜視図である。
【図３】該カード用コネクタ装置のカード挿入完了状態を示す平面図である。
【図４】該カード用コネクタ装置からカバー部材を取り除いて示すカード挿入完了状態の平面図である。
【図５】該カード用コネクタ装置の動作説明図である。
【符号の説明】
【００２９】
１  端子部材
２  ベース部材
３  カバー部材
３ａ  平板部
３ｂ  折曲片
３ｃ  押圧片
３ｄ  逃げ部
３ｅ  逃げ孔
３Ａ  規制部
４  カード排出機構
５  カード
５ａ  段差部
５ｂ  切欠部
６  カード収納部
７  ハウジング
８  カード挿入口
９  スライド部材
９ａ  受部
９ｂ  延出部
９ｃ  係止溝
１０  コイルばね
１１  ピン部材
１２  弾性保持片
１２ａ  係合部
１３  ハート型カム溝
１３ａ  往路
１３ｂ  復路
１３ｃ  ロック部
１４  外部接続部
【図１】
2006147475.tif 000003
【図２】
2006147475.tif 000004
【図３】
2006147475.tif 000005
【図４】
2006147475.tif 000006
【図５】
2006147475.tif 000007